(57)【要約】【課題】  高い利便性を有しつつ誤操作を防止し得る腕装着型携帯電話機を提供する。  【解決手段】  腕装着型携帯電話機１００の本体１０は、バンド３０に固定されたベース２０に対し、着脱可能になっている。また、本体１０には、本体の着脱状態を検出する着脱検出部４６、及び通話相手の電話番号を指定する操作ボタン４１が設けられている。かかる構成において、電話機１００の各部の動作を制御する制御部４４は、操作ボタン４１によって所定の桁数の電話番号入力が完了したこと、本体１０がベース２０から取り外されていること、の２条件が満たされた時、入力された電話番号を含む発呼要求を送受信部４５から送信する。【選択図】        図４
2005057426.tif 000002
【特許請求の範囲】
【請求項１】
他者と電話通信を行なう電話部を有する本体部と、
前記本体部を着脱可能に保持する保持部と、
前記保持部を有し、腕に巻回可能なバンドとを備え、
前記本体部は、
前記本体部の前記保持部への装着または前記保持部からの取り外しを検出する検出手段と、
通話相手を指定する通話先指定手段と、
前記電話部の動作を制御する制御手段とを有し、
前記制御手段は、
前記本体部の前記保持部からの取り外しが前記検出手段により検出されるという条件と、前記通話先指定手段により通話相手が指定されたという条件の両方が満たされたとき、該通話相手に対する発呼を行ない、
着信があった場合において、前記本体部の前記保持部からの取り外しが前記検出手段により検出されたときには、着信応答を行ない、
前記電話部によって通話が行われている場合において、前記本体部の前記保持部への装着が前記検出手段により検出されたときに該通話を終了するように前記電話部を制御する
ことを特徴とする腕装着型携帯電話機。
【請求項２】
前記本体部は、
受話音声が出力されるスピーカと、
前記スピーカを耳に近接又は当接させた状態で前記本体を耳に固定する固定手段とを有する
ことを特徴とする請求項１記載の腕装着型携帯電話機。
【請求項３】
前記本体部は、
時計機能と、該時計機能によって得られた時刻または時間情報を表示するための表示部とを具備する
ことを特徴とする請求項１又は２記載の腕装着型携帯電話機。
【請求項４】
前記本体部は、
送話音声を集音するとともに、前記本体部を耳に近接または当接させた状態において、口元付近に向けて伸延可能なマイクロフォンと、
前記マイクロフォンを収納する収納手段とを有する
ことを特徴とする請求項１乃至３記載の腕装着型携帯電話機。
【請求項５】
前記本体部は、前記電話部の利用者を識別するための情報が記録された記録媒体を装着するための装着部と、
前記装着部に装着された前記記録媒体から、前記識別情報を読み取るための読み取り手段とを有し、
前記制御手段は、前記読み取り手段が読み取った前記識別情報に基づいて前記電話部を制御する
ことを特徴とする請求項１乃至４記載の腕装着型携帯電話機。
【発明の詳細な説明】
【技術分野】
【０００１】
本発明は、腕に装着可能な携帯電話機に関する。
【背景技術】
【０００２】
近年、腕装着型携帯電話機が実用化されている。これらは、電話機本体と、この電話機本体を腕に装着するためのバンドによって構成されるのが一般的である。通話を行なう際の形態としては、バンドを腕から外した状態で、使用者の耳に本体部分を当てて使用するもの（第１の従来技術）や、本体にスピーカ及びマイクロフォンが設けられ、腕にはめたままで使用するもの（第２の従来技術）等がある。前者は、バンド端部にマイクロフォンが内蔵されており、通話時、本体を耳に当てた際に自然とこのマイクロフォンが口元に導かれるようになっているので、通常の携帯電話機と同様の通話感覚が提供されている。また、後者は、通話する都度バンドを腕から外す必要が生じないから、利便性に優れている。尚、第１の従来技術については特許文献１に、第２の従来技術については特許文献２にそれぞれ記載されている。
【０００３】
【特許文献１】特開平１１−１７７６６３号公報
【特許文献２】特開平１１−３１３１３６号公報
【発明の開示】
【発明が解決しようとする課題】
【０００４】
電話機には２通りの使用状況が考えられる。即ち、待ち受け状態において電話がかかってきた場合と、こちらから相手方に電話をかける場合である。第１の従来技術では、前者及び後者のいずれにおいても、バンドを腕から取り外さなければならない。とりわけ前者の場合には、慌ててバンドを外す必要が生じることもあり、甚だ不便である。第２の従来技術ではバンドを外す必要は生じないが、通話時の体勢が不自然なものとなり、使い辛かった。また、いずれの従来技術においても、電話機本体に設けられた微小な操作部の操作によって、電話番号の指定や、通話及び非通話の切り替えを行なうため、頻繁に誤操作が生じ易く、誤って通話が切断されることや、逆に知らない間に通話状態となってしまうことなどが起こり得た。これら諸問題を回避するために、操作部、ひいては電話機本体を大きくすることは、外観上好ましくない上に、利便性が低下し、腕装着型である利点を損なう為好ましくない。
本発明は、上述した事情に鑑みてなされたものであり、腕に装着可能であることによる高い利便性を保持しつつ、誤操作が生じにくい腕装着型携帯電話機を提供することを目的としている。
【課題を解決するための手段】
【０００５】
上述した問題を解決するため、本発明に係る腕装着型携帯電話機は、他者と電話通信を行なう電話部を有する本体部と、前記本体部を着脱可能に保持する保持部と、前記保持部を有し、腕に巻回可能なバンドとを備え、前記本体部は、前記本体部の前記保持部への装着または前記保持部からの取り外しを検出する検出手段と、通話相手を指定する通話先指定手段と、前記電話部の動作を制御する制御手段とを有し、前記制御手段は、前記本体部の前記保持部からの取り外しが前記検出手段により検出されるという条件と、前記通話先指定手段により通話相手が指定されたという条件の両方が満たされたとき、該通話相手に対する発呼を行ない、着信があった場合において、前記本体部の前記保持部からの取り外しが前記検出手段により検出されたときには、着信応答を行ない、前記電話部によって通話が行われている場合において、前記本体部の前記保持部への装着が前記検出手段により検出されたときに該通話を終了するように前記電話部を制御することを特徴としている。
かかる携帯電話機によれば、制御手段が、本体部の保持部への着脱に基づいて、一般の電話におけるオンフック状態及びオフフック状態に相当する切り換え動作を行なうため、腕に装着することによる高い利便性を保持しつつ、誤操作を防止することができる。
【０００６】
また、好ましい態様において、前記本体部は、受話音声が出力されるスピーカと、前記スピーカを耳に近接又は当接させた状態で前記本体を耳に固定する固定手段とを有する。
かかる態様によれば、保持部から取り外された本体部を耳にかけることができるから、ハンズフリーな通話状態が提供され、一段と利便性が向上する。
【０００７】
また、好ましい態様において、前記本体部は、時計機能と、該時計機能によって得られた時刻または時間情報を表示するための表示部とを具備する。
かかる態様によれば、本発明に係る腕装着型携帯電話機を通常の腕時計と同様に使用可能となり、腕時計を別個に携帯する必要が無くなって、利便性が一段と向上する。
【０００８】
また、好ましい態様において、前記本体部は、送話音声を集音するとともに、前記本体部を耳に近接または当接させた状態において、口元付近に向けて伸延可能なマイクロフォンと、前記マイクロフォンを収納する収納手段とを有する。
かかる態様によれば、集音機能を有するマイクロフォンを口元付近に配置することができ、通話に無関係な雑音を拾うことが防止されるとともに、通話内容を効率良く送信することができる。
【０００９】
また、好ましい態様において、前記本体部は、前記電話部の利用者情報が記録された記録媒体を装着するための装着部を有し、前記制御手段は、前記記録媒体が前記本体部に装着されている場合に、該記録媒体に記憶された利用者情報に基づいて前記電話部を制御する。
かかる態様によれば、この記録媒体を差し替えるだけで、異なる携帯電話機を同一の電話番号で容易に使用することができ、汎用性が著しく向上する。したがって、本態様を有する携帯電話機を複数所持し、状況、気分に応じて適宜電話機を選択するといった使い方を簡便に実現することができる。
【発明を実施するための最良の形態】
【００１０】
＜第１実施形態＞
＜実施形態の構成＞
図１は、本発明の第１実施形態に係る腕装着型携帯電話機１００（以下「電話機１００」）の外観図である。電話機１００は、電話機能を有する本体１０、本体１０を着脱自在に保持するベース２０、及びベース２０を腕に装着するためのバンド３０によって大略構成されている。
【００１１】
バンド３０は、金属製の一対のバンド片３１、３２によって構成される。バンド片３１、３２の端部は、それぞれベース２０に回動可能に固定されている。バンド片３１、３２の他端部には、一対の係合部３１ａ、３２ａが設けられており、バンド片３１、３２を腕に巻回し、この係合部３１ａ、３２ａを係合させることによって、バンド３０が腕に装着される。即ち、バンド３０の構成は一般的な腕時計等と同様である。バンド３０の材質も、腕時計など従来腕に装着して使用されているものと同様でよく、上記した金属の他にも、皮革、樹脂など幅広く利用可能である。また、係合部も、皮革製のバンドであれば、孔、ピン及び留め具で構成したり、金属製のバンドならば、予めバンド片の両端部と連結された屈折可能なクランク状に構成したりするなど、その構成は自由である。さらに、腕に嵌めた時に、この係合部を重ね合わせる様にして留め具で留める形状としても良い。
【００１２】
図２は、図１におけるＡ−Ａ’線視断面図である。
ベース２０には、留め具２１によってバンド３０が回動可能に固定されている。また、ベース２０の上面には、装着用凸部２２が２個設けられている。この装着用凸部２２は、本体１０の筐体１１下面に形成された凹部１３とそれぞれ係合することによって、本体１０をベース２０上に固定する。この装着用凸部２２と凹部１３とは、言わば一対のボタンを形成しており、一定量以上の力が作用するとこの係合は解除され、本体と１０とベース２０とが分離されるようになっている。
ベース２０の上面中央付近には、着脱検出用突起２３が形成されている。この着脱検出用突起２３は、本体１０がベース２０に装着されている状態において、本体１０内に設けられた可動接触子４６ｃを突き上げている。この可動接触子４６ｃは、後述する接点機構４６ａの一構成要素である。
【００１３】
図３は、本体１０の斜視図である。本体１０は、他者との間で無線通信を行なう電話機能を有している。筐体１１の上面には表示部１２が形成されている。この表示部１２は、ＬＣＤ（液晶ディスプレイ）等で構成されており、その表面がガラス又は樹脂製の透明な風防１２ａに覆われている。表示部１２には、一般の携帯電話機と同様、電話番号、電波の受信感度、又は任意に設定可能な待ち受け画像など、種々の情報が表示される。
表示部１２の周囲には、表示部１２を取り囲む様にして、操作ボタン４１が設けられている。操作ボタン４１は「０」から「９」までの１０個あり、電話番号の指定に使用される。マイクロフォン４３は、使用者の音声を集音する。    
筐体１１の裏面には、導入孔（図示略）及びスピーカ４２（図示略）が形成されている。この導入孔は、ベース２０に形成された前述の着脱検出用突起２３を導入するための孔である。スピーカ４２は、通話相手の音声を放音する。
【００１４】
図４は、本体１０の要部機能を説明するブロック図である。本体１０の電話機能は、公知の携帯型電話機と同等のものである。
制御部４４は、ＣＰＵ（Central Processing Unit）、ＲＯＭ（Read Only Memory）及びＲＡＭ（Random Access Memory）等からなり、電話機１００の各部の動作を制御する。番号認識部４１ａは、前述の操作ボタン４１と電気的に接続されており、操作ボタン４１の何れかが押下された時、その押下された操作ボタン４１に対応する番号認識信号を制御部４４に出力する。制御部４４は、この番号認識信号に基づき、何れの操作ボタンが押下されたかを認識する。
【００１５】
スピーカ４２は、電話機１００の使用者（以下「使用者」）に対し、通話相手から受信された音声を放音する。またマイクロフォン４３は、使用者の音声を集音する。送受信部４５は、アンテナ、送受信切り替え回路、ＲＦ（高周波）回路、ＩＦ（中間周波）回路など（いずれも図示略）を有し、他機との間で無線による通信を行なう。送受信部４５は、制御部４４によってその動作が制御される。電源４７は、この電話機１００の電源であり、Ｌｉ−ｉｏｎ（リチウムイオン）充電地など、充電可能な２次電池によって構成されている。この電源４７は、図示略の充電端子を介して外部電源から充電可能となっている。着信報知回路４８は、他者から電話機１００への着信があった場合に、バイブレーション、又は着信メロディ等を用いて使用者にその旨を報知する回路である。
【００１６】
着脱検出部４６は、本体１０の、ベース２０への着脱状態を検出する。図５は、着脱検出部４６の内部構成を説明するブロック図である。
接点機構４６ａは、前述の可動接触子４６ｃと固定接触子４６ｄとを対向させてなるものである。この可動接触子４６ｃは、ベース２０に形成された着脱検出用突起２３に所定量以上押し込まれると、固定接触子４６ｄと離間し、非接触状態となる。
一方、固定接触子４６ｄは、着脱検出信号回路４６ｂに接続されている。可動接触子４６ｃは、図示略の電源回路と繋がっており、接点機構４６ａの両接触子間の開閉状態に応じて、この着脱検出信号回路４６ｂからは「Ｌｏｗ」又は「Ｈｉ」の着脱検出信号が制御部４４に出力される。この着脱検出信号は、着脱検出部４６の出力信号となる。制御部４４は、この着脱検出信号が「Ｌｏｗ」の場合、本体１０がベース２０に装着され、また「Ｈｉ」の場合には本体１０がベース２０から取り外されていると認識する。制御部４４は、操作ボタン４１によって所定の桁数の電話番号入力が完了したこと、着脱検出信号が「Ｈｉ」であること、の２条件が満たされた時、入力された電話番号を含む発呼要求を送受信部４５から送信する。
【００１７】
＜実施形態の動作＞
かかる構成を有する電話機１００の詳細動作について、制御部４４を軸に説明する。  
使用者が本体１０をベース２０に装着した状態でバンド３０を腕に巻回しているとき、着脱検出信号は「Ｌｏｗ」となっている。この着脱検出信号が「Ｌｏｗ」である場合、制御部４４は、電話機１００を待機状態とする。
【００１８】
待機状態において、制御部４４は、他者からの着信を受けることが可能である。着信があった場合、送受信部４５は、制御部４４にその旨を出力する。その出力を受け取った制御部４４は、着信報知回路４８に対し、着信報知を行なうよう指示を出す。その指示により、着信報知回路４８は使用者に対し着信がある旨を報知する。使用者はそれを受けて、本体１０をベース２０から取り外す。この取り外しの際に、着脱検出部４６の接点機構４６ａを構成する可動接触子４６ｃは、ベース２０に設けられた着脱検出用突起２３による突き上げから解放されるから、接点機構４６ａの接点は閉じ、着脱検出信号回路４６ｂからは、「Ｈｉ」の信号が出力される。
【００１９】
制御部４４は、着脱検出部４６の出力信号が「Ｈｉ」となると、送受信部４５により、着信応答を着信相手に送信する。これにより、電話機１００と着信相手との間に回線が確立され、電話機１００は通話状態となる。使用者は、ベース２０から取り外した本体１０の裏面のスピーカ４２を耳元に当て、通話を行なう。通話が終了し、使用者が本体１０をベース２０に装着すると、着脱検出部４６の出力信号は「Ｌｏｗ」となる。制御部４４は、着脱検出部４６の出力信号の「Ｌｏｗ」への変化を検知すると、電話機１００を待機状態に戻す。
【００２０】
次に、使用者が、電話機１００から発信を行なう場合について説明する。
使用者は、電話機１００により他者との通話を行ないたいとき、本体１０をベース２０から取り外す。この結果、着脱検出信号は「Ｈｉ」となるから、制御部４４は、電話番号入力待ち状態となる。この状態において、使用者が操作ボタン４１を１つずつ操作して通話先の電話番号の各桁の数字を順次入力すると、番号認識部４１ａから一連の番号認識信号が制御部４４に送られる。制御部４４は、これらの一連の番号認識信号に基づいて、通話先の電話番号を求め、この電話番号を含む発呼要求を送受信部４５から送信する。この発呼要求に従って、通話相手への着信が行われ、通話相手が着信応答を送信すると、電話機１００と通話相手との間に回線が確立され、両者間の通話が可能になる。そして、電話機１００の使用者は、通話の終了を希望する場合には、本体１０をベース２０に装着する。この結果、着脱検出部４６の出力が「Ｌｏｗ」となり、これを検知した制御部４４は、電話機１００を待機状態に戻す。
尚、前述したように、制御部４４は、操作ボタン４１によって所定の桁数の電話番号入力が完了したこと、着脱検出信号が「Ｈｉ」であること、の２条件が満たされた時、入力された電話番号を含む発呼要求を送受信部４５から送信するものであるから、操作ボタン４１による通話相手の電話番号指定は、本体１０がベース２０に装着された状態で行われても良い。この際、制御部４４は、本体１０がベース２０から取り外された時点で、発呼要求を送受信部４５から送信する。
【００２１】
以上説明したように、本実施形態に係る電話機１００は、本体１０のベース２０からの取り外しにより通常の電話機のオフフックに相当する動作が行われ、ベース２０への装着により通常の電話機のオンフックに相当する動作が行われる。従って、腕装着による高い利便性を有しつつ、微小なボタンの操作によって生じる誤操作が防止される。
【００２２】
本発明に係る腕装着型携帯電話機１００において、本体１０を保持するベース２０の形状は、上述の態様に限定されない。ベース２０が本体１０を収容する構成としても良い。この際、本体１０を保持するための機構は、本体側面とこの収容部側面とに設けられていても良い。
また、本実施形態において、電話機１００は全体に腕時計に類似した形状を有するが、形状はこれに限定されない。例えば、一般的な携帯型電話機と同様な形状を有する本体が、ベース及びバンドによって腕に着脱可能に保持されていても本発明に係る効果は全く阻害されない。
【００２３】
尚、マイクロフォン及びスピーカの位置は、上述の態様に限定されない。上述した効果を阻害しない範囲であれば、これらを本体の任意の位置に設置してよい。
また、電源４７の充電に際して、本体１０は、ベース２０に装着されていても、取り外されていても良い。更には、電話機１００が、ベース２０またはバンド３０に設置された充電可能な主電源と、本体１０に設置され、この主電源から充電可能な補助電源とを有し、本体１０がベース２０から取り外された状態では、この補助電源によって本体１０が駆動されるようにしても良い。このように電源を構成すると、本体１０を小型化することが可能となる。
【００２４】
また、本実施形態では、操作ボタン４１によって電話番号が指定されたが、電話番号を指定する態様はこれに限定されない。操作ボタン４１の代わりに、操作ボタン４１と外観上同様な操作ダイヤルが形成され、電話番号を指定する際にはこの操作ダイヤルを適宜回転させても良い。更には、操作ボタン４１を表示部１２の周囲に設けずに、例えば、本体側面にツマミ状に、腕時計におけるリューズのように設けても良い。また、このような機械的な電話番号指定では無く、本体１０内に音声認識回路を有し、使用者が音声によって電話番号を指定する態様であっても良い。
【００２５】
尚、本実施形態に係る電話機１００は、腕時計など、従来腕に装着されていたものと外観的に類似しているから、それらと統合されていても何ら効果が阻害されることがない。例えば、表示部１２にディジタル表示の時刻情報等が表示されていれば、ディジタル表示の腕時計と同等の機能が使用者に提供される。また、その場合には、電話機１００が待機状態にある時のみ、時間または時刻に関する情報が表示部１２に表示されるよう、制御部４４が制御を行なっても良い。また、アナログ表示の時計が表示部に設けられていても良い。この場合には、表示部１２をＬＣＤ等で構成する必要はなく、表示部１２には、通常のアナログ式の腕時計と同様の長針、短針、秒針、文字盤などが形成される。このようにすると、表示部１２は常時時計表示を行なうから、外観上腕時計との差異が生じない。また、上記した様な、表示部１２の周囲に操作ボタン４１を設けない態様であれば、表示部１２の周囲に、腕時計のベゼル同様様々な意匠を施すこともできる。
【００２６】
＜第２実施形態＞
第１実施形態においては、本体１０を手で持ち、スピーカ４２を耳に当てた状態で通話が行なわれる。しかしながら、この状態では片手が塞がる上、スピーカとマイクロフォンが本体に固定されているため、マイクロフォンが使用者の音声以外の雑音を拾う可能性がある。また、それを避けるためにマイクロフォンを口元に移動させると、通話中に頻繁に本体１０を移動させる必要が生じ得る。そこで、そのような必要を生じさせない、通話の際の利便性に優れた形態について説明する。
【００２７】
図６は、本発明の第２実施形態に係る腕装着型携帯電話機の本体６０を、裏面側から見た斜視図である。尚、本実施形態において、本体６０以外の構成は上述の第１実施形態と同等であり、同実施形態と重複する箇所には同一の符号を付してその説明を省略する。
【００２８】
本体６０の筐体６１の裏面には、スピーカ４２を囲むようにして円弧状の突起６２が形成されている。この突起６２は、耳にかけられる様な形状に形成されており、本体６０を耳元に固定させることができる。
一方、筐体６１の側面には、スリット状の収納部６３が設けられており、内部にマイクロフォン６４が収納されている。マイクロフォン６４は、未使用時にはこの筐体内部にリール状に巻かれるようにして収納されており、使用時に引き出し可能となっている。また、このマイクロフォン６４の引き出し機構にはラチェット機構が使用されており、一旦引き出されると、収納部６３の方向には戻らないようになっている。このラチェット機構は、収納部６３の近傍に設けられている解除ボタン６５を押下することによって解除され、マイクロフォン６４は、解除ボタン６５を押して後、収納部６３に再び収納可能となる。
【００２９】
かかる構成の下、本体６０を使用する際には、突起６２を耳にかけるようにして本体６０を耳に固定した状態で、収納部６３よりマイクロフォン６４を引き出し、口元の適当な位置にセットする。このように、本実施形態に係る腕装着型携帯電話機は、通話を行なう際に両手が自由となる上、スピーカ及びマイクロフォンを、通話を行なうに適した位置に設置することが可能となる。従って、極めて高い利便性を有している。
尚、耳に装着するための突起の形状は、上記態様に限定されない。耳の形状に柔軟に対応できるように、この突起が筐体裏面の外周方向に開閉可能になっていても良い。また、耳にかけた際に良好な装着感が得られる様、ラバーやスポンジ状の緩衝材が突起に設けられていても良い。
【００３０】
＜第３実施形態＞
本発明に係る腕装着型携帯電話機は、上記した様に高い利便性を有しているが、腕に装着したままの移動が可能であるが故に、目的地や衣服との整合性を常に維持することは難しい。そのような時に、用途に応じて複数の腕装着型電話機を所持できれば好適である。ここでは、そのような実施形態について説明する。
【００３１】
図７及び図８は、本発明の第３実施形態に係る腕装着型携帯電話機の本体８０を裏面側から見た斜視図である。尚、本実施形態において、本体８０以外の構成は上述の第１実施形態と同等である。
【００３２】
図７において、本体８０の筐体８１の裏面にはカバー８２が設けられている。カバー８２は、スライドさせることによって開閉可能となっており、図８にはカバー８２が外された状態が示されている。
図８において、カバー８２によって覆われていた部分には平板状に窪んだ装着部８３が形成されている。この装着部８３には、ＳＩＭカード８４が装着される。ＳＩＭカード８４は、電話番号、アドレス帳などの情報が記録されたＩＣカードである。このＳＩＭカード８４によって、本実施形態に係る本体８０の電話機能が使用可能となる。装着部８３には、ＳＩＭカード８４の接点部８５と接触して記録された情報を読み取る読み取り部８７が設けられている。制御部４４は、この読み取り部８７が読み取った情報に基づいて各部を制御する。
【００３３】
図９は、本実施形態に係る腕装着型携帯電話機を複数所有した場合の概念図である。ＳＩＭカード８４は、複数の電話機８６に対して使用可能であり、いずれの電話機８６に使用されても、同一の電話番号を使用可能である。また、ＳＩＭカード８４に記録されている情報も電話機８６間で全て共有可能である。このように、本実施形態に係る腕装着型携帯電話機を使用すれば、複数所持の際に、電話番号が電話機毎に異なってしまう問題も生じず、個人の嗜好、使用環境に応じて気軽に複数の電話機を所有することが可能となる。
【００３４】
＜変形例＞
本発明に係る腕装着型携帯電話機において、本体とベースの着脱状態の検出機構は、上述したように、ベース２０に設けられた着脱検出用突起２３が可動接触子４６ｃを可動させることによって接点が開閉する機械的な接点機構４６ａ以外にも、様々な変形が可能である。以下に、この接点機構の変形例を示す。なお、本変形例において、図２と重複する箇所には同一の符号を付してその説明を省略する。
【００３５】
＜接点機構の変形例１＞
図１０は、第１の変形例に係る接点機構２００の模式図である。ベース２０の内部には、磁石２０１が埋め込まれている。一方、本体１０内には、２枚の金属片２０２ａ、２０２ｂが設置されている。この金属片２０２ａ、２０２ｂのそれぞれの端部は、本体１０がベース２０に装着されている状態では磁石２０１の発する磁力により互いに接触している。この金属片２０２ａ、２０２ｂの他端部は、検出回路２０３に接続されており、この検出回路２０３は、金属片同士が接触している状態では「Ｌｏｗ」の信号を制御部４４に出力している。
図１１には、本体１０がベース２０から取り外された状態が示されている。この状態では、金属片２０２ａ、２０２ｂには磁力が及ばないため、これら金属片同士は互いに離間する。このようにして金属片同士の接触状態が解除されると、検出回路２０３は、「Ｈｉ」の信号を制御部４４に出力する。従って、上述の実施形態同様、本体の着脱を検出することができる。
【００３６】
＜接点機構の変形例２＞
図１２は、第２の変形例に係る接点機構３００の模式図である。接点機構３００においては、本体１０、ベース２０、及びバンド３０が一つの接点機構を形成する。バンド３０内には、信号ライン３０１が貫通している。この信号ライン３０１はベース２０内部を貫通し、ベース２０上面に露出した接点３０２ａ、３０２ｂに繋がっている。本体１０の筐体１１下面には、この接点３０２ａ、３０２ｂと接触する導電性の接触部３０３ａ、３０３ｂがそれぞれ設けられており、この接触部同士もまた信号ライン３０４によって繋がっている。従って、本体１０がベース２０に装着された状態では、信号ライン３０１及び３０４による信号ラインのループが形成される。
一方、信号ライン３０４には、検出回路３０５が接続されている。検出回路３０５は、本体１０がベース２０に装着されている状態において、極めて微弱な電流をこの信号ラインのループに供給することができる。検出回路３０５は、この信号ライン３０４の電流を常に監視しており、信号ライン３０４に電流が流れている場合には「Ｌｏｗ」、流れていないならば「Ｈｉ」なる信号を制御部４４に出力する。
係る構成において、本体１０がベース２０から取り外されると、信号ライン３０１及び３０４で形成される信号ラインのループが無くなり、信号ライン３０４の端部は開放状態となって電流が流れなくなり、「Ｈｉ」の信号が制御部４４に出力される。本体１０がベース２０に装着されると、電流が流れるので「Ｌｏｗ」の信号が制御部４４に出力される。従って、本体１０の着脱状態を検出することができる。
【図面の簡単な説明】
【００３７】
【図１】本発明の第１実施形態に係る腕装着型携帯電話機１００の斜視図。
【図２】図１におけるＡ−Ａ’線視断面図。
【図３】同実施形態に係る本体１０の斜視図。
【図４】同本体１０の要部機能を示すブロック図。
【図５】同本体１０における着脱検出部４６の内部構成を示すブロック図。
【図６】本発明の第２実施形態に係る腕装着型携帯電話機の本体６０の斜視図。
【図７】本発明の第３実施形態に係る腕装着型携帯電話機の本体８０の斜視図。
【図８】図７において、カバー８２を外した状態を示す斜視図。
【図９】同実施形態に係る腕装着型携帯電話機の使用状況を説明する概念図。
【図１０】本発明の第１の変形例に係る接点機構２００の模式図。
【図１１】同接点機構２００において本体１０を取り外した状態を示す模式図。
【図１２】本発明の第２の変形例に係る接点機構３００の模式図。
【符号の説明】
【００３８】
１０…本体、１１…筐体、１２…表示部、１２ａ…風防、１３…凹部、２０…ベース、２１…留め具、２２…装着用凸部、２３…着脱検出用突起、３０…バンド、３１、３２…バンド片、３１ａ、３２ａ…係合部、４１…操作ボタン、４１ａ…番号認識部、４２…スピーカ、４３…マイクロフォン、４４…制御部、４５…送受信部、４６…着脱検出部、４６ａ…接点機構、４６ｂ…着脱検出信号回路、４６ｃ…可動接触子、４６ｄ…固定接触子、４７…電源、４８…着信報知回路、６０…本体、６１…筐体、６２…突起、６３…収納部、６４…マイクロフォン、６５…解除ボタン、８０…本体、８１…筐体、８２…カバー、８３…装着部、８４…ＳＩＭカード、８５…接点部、８６…電話機、８７…読み取り部、１００…腕装着型携帯電話機、２００…接点機構、２０１…磁石、２０２ａ、２０２ｂ…金属片、２０３…検出回路、３００…接点機構、３０１…信号ライン、３０２ａ、３０２ｂ…接点、３０３ａ、３０３ｂ…接触部、３０４…信号ライン、３０５…検出回路。
【図１】
2005057426.tif 000003
【図２】
2005057426.tif 000004
【図３】
2005057426.tif 000005
【図４】
2005057426.tif 000006
【図５】
2005057426.tif 000007
【図６】
2005057426.tif 000008
【図７】
2005057426.tif 000009
【図８】
2005057426.tif 000010
【図９】
2005057426.tif 000011
【図１０】
2005057426.tif 000012
【図１１】
2005057426.tif 000013
【図１２】
2005057426.tif 000014